(57)【要約】【課題】各部門等における管理用コンピュータ等である端末側管理装置と、これら各部門等を統合した全体の管理装置との間の情報の統合を円滑且つ迅速に行うための医療情報管理システムを提供すること。【解決手段】複数の種類の中央側医療情報を保持する中央管理装置１０と、中央管理装置と通信可能であり、複数の種類の端末側医療情報４１ａを中央管理装置とは別個に独自で保持する端末側管理装置３０ａと、を有し、端末管理装置は、中央管理装置から取得する中央側医療情報を選択するための取得情報選択部５１と、取得情報選択部で選択された中央側医療情報に対応する端末側医療情報４１ａを中央側医療情報と置き換えるための医療情報置換部５４と、医療情報置換部で置き換えられた中央側医療情報の変更処理を禁止する変更禁止部５２と、を有する医療情報管理システム１。【選択図】図１
2011065606.tif 000002
【特許請求の範囲】
【請求項１】
複数の種類の医療情報である中央側医療情報を保持する中央管理装置と、
前記中央管理装置と通信可能であると共に、複数の種類の医療情報である端末側医療情報を前記中央管理装置とは別個に独自で保持する端末側管理装置と、を有し、
前記端末管理装置は、前記中央管理装置から取得する前記中央側医療情報を選択するための取得情報選択部と、
前記取得情報選択部で選択された前記中央側医療情報に対応する前記端末側医療情報を前記中央側医療情報と置き換えるための医療情報置換部と、
前記医療情報置換部で置き換えられた前記中央側医療情報の変更処理を禁止する変更禁止部と、を有することを特徴とする医療情報管理システム。
【請求項２】
前記医療情報置換部で置き換えられる前記端末側医療情報が閲覧可能情報となることを特徴とする請求項１に記載の医療情報管理システム。
【請求項３】
前記取得情報選択部で選択される前記中央側医療情報が複数形成され、
この複数の前記中央側医療情報の一部又は全部が相互に関連付けられており、
これら関連付けられている前記中央側医療情報の少なくとも一部を前記取得情報選択部が選択することで、これら関連付けられている前記中央側医療情報の全てが前記中央管理装置から取得される構成となっていることを特徴とする請求項１又は請求項２に記載の医療情報管理システム。
【発明の詳細な説明】
【技術分野】
【０００１】
本発明は、例えば、病院等の複数の管理装置内の医療情報を管理するための医療情報管理システムに関するものである。
【背景技術】
【０００２】
従来、患者の医療情報を管理装置で管理し、実際の投薬等で過誤が生じないようにする提案がなされている（例えば、特許文献１）。
また、病院等では、例えば、医局やナースステーションに、病棟における患者の各種情報を管理する管理用コンピュータを設け、この管理用コンピュータのデータを参照して、医師や看護師等が患者に処方等を実施している。
一方、病院には、患者の管理用コンピュータとは別に、中央管理装置に相当するコンピュータを配置し、この中央管理装置に院内の各種の管理用コンピュータのデータを集め、管理するシステム（ＨＩＳ（Ｈｏｓｐｉｔａｌ  Ｉｎｆｏｒｍａｔｉｏｎ  Ｓｙｓｔｅｍ、病院コンピュータサービス））を採用しているところもある。
【先行技術文献】
【特許文献】
【０００３】
【特許文献１】特開２００３−３０３２３号公報
【発明の概要】
【発明が解決しようとする課題】
【０００４】
しかし、このＨＩＳを病院で採用し、中央のＨＩＳのサーバに、患者の管理用コンピュータを接続するには、例えば、同じメーカーのコンピュータ等や、同じシステムを採用するコンピュータを導入等する必要がある。
しかしながら、このＨＩＳのシステムの全てのコンピュータを、同じメーカーのコンピュータ等で揃える等は、困難であり、実際は、病院等では、メーカーの異なる様々なコンピュータ等が管理用コンピュータとして用いられている。このため、各管理用コンピュータとＨＩＳのサーバとは、通常は、相互に通信させることが容易ではなく、所定の時期に、それぞれのコンピュータのシステムを調整することで、管理用コンピュータとＨＩＳのサーバとの通信を行い、相互のデータを送受信している。
この場合、病棟の患者向けに配置されている管理用コンピュータとＨＩＳのサーバとでは、例えば、同じ患者に関して、異なるデータを有している場合がある。
このとき、ＨＩＳのサーバのデータを優先して、管理用コンピュータのデータをサーバのデータに置き換えると、データの統一性を図ることができ好ましい。
しかし、患者の管理用コンピュータは、医療現場の必要に応じてデータを入力する場合があり、管理用コンピュータのデータを、ＨＩＳのサーバのデータに置き換え、データの統一を図ると、データによっては、現場の医師や看護師等にとって使い難いデータとなるという問題があった。
【０００５】
そこで、本発明は、病棟患者に対する管理用コンピュータ等である端末側管理装置と、他の管理用コンピュータ等を含む全体の管理装置との間の情報の統合を円滑且つ迅速に行うための医療情報管理システムを提供することを目的とする。
【課題を解決するための手段】
【０００６】
前記課題は、本発明によれば、複数の種類の医療情報である中央側医療情報を保持する中央管理装置と、前記中央管理装置と通信可能であると共に、複数の種類の医療情報である端末側医療情報を前記中央管理装置とは別個に独自で保持する端末側管理装置と、を有し、前記端末管理装置は、前記中央管理装置から取得する前記中央側医療情報を選択するための取得情報選択部と、前記取得情報選択部で選択された前記中央側医療情報に対応する前記端末側医療情報を前記中央側医療情報と置き換えるための医療情報置換部と、前記医療情報置換部で置き換えられた前記中央側医療情報の変更処理を禁止する変更禁止部と、を有することを特徴とする医療情報管理システムにより達成される。
【０００７】
前記構成によれば、複数の種類の医療情報である中央側医療情報を保持する中央管理装置と、中央管理装置と通信可能であると共に、複数の種類の医療情報である端末側医療情報を中央管理装置とは別個に独自で保持する端末側管理装置と、を有し、端末側管理装置は、中央管理装置から取得する中央側医療情報を選択するための取得情報選択部と、取得情報選択部で選択された中央側医療情報に対応する端末側医療情報を中央側医療情報と置き換えるための医療情報置換部と、を有している。
このため、例えば、端末側管理装置で保持する端末側医療情報を中央管理装置の中央側医療情報で置き換えようとするとき、端末側管理装置は、取得情報選択部によって置き換える中央側医療情報を選択できる。このため、中央側医療情報と置き換える必要のない、端末側医療情報の置換えを回避できると共に、必要な中央側医療情報のみを取得し、置き換えることができる。
したがって、端末側管理装置の全ての端末側医療情報を一括して置き換えることによる弊害の発生を防止することができる。
【０００８】
また、前記構成によれば、医療情報置換部で置き換えられた中央側医療情報の変更処理を禁止する変更禁止部と、を有している。
このため、一旦、医療情報置換部で置き換えられた中央側医療情報は、端末側管理装置では、変更処理できないため、爾後、端末側管理装置による、当該中央側医療情報の変更が行われず、かかる情報の統一性が保たれ、信頼性が向上する。
【０００９】
好ましくは、前記医療情報置換部で置き換えられる前記端末側医療情報が閲覧可能情報となることを特徴とする医療情報管理装システムである。
【００１０】
前記構成によれば、医療情報置換部で置き換えられる端末側医療情報が閲覧可能情報となる。このため、例えば、端末側管理装置で独自に保持されて、その後、中央側医療情報に置き換えられた端末側医療情報を、利用者が閲覧することができるので、過去の端末側医療情報を効率的に利用することができる。
【００１１】
好ましくは、前記取得情報選択部で選択される前記中央側医療情報が複数形成され、この複数の前記中央側医療情報の一部又は全部が相互に関連付けられており、これら関連付けられている前記中央側医療情報の少なくとも一部を前記取得情報選択部が選択することで、これら関連付けられている前記中央側医療情報の全てが前記中央管理装置から取得される構成となっていることを特徴とする医療情報管理システムである。
【００１２】
前記構成によれば、取得情報選択部で選択される中央側医療情報が複数形成され、この複数の中央側医療情報の一部又は全部が相互に関連付けられており、これら関連付けられている中央側医療情報の少なくとも一部を取得情報選択部が選択することで、これら関連付けられている中央側医療情報の全てが中央管理装置から取得される構成となっている。
すなわち、複数の中央側医療情報、例えば、処方情報、患者情報、薬剤情報等は、相互に密接に関連しているため、これらの医療情報は、相互に関連付けられている。
このため、例えば、利用者等が取得情報選択部を介して、処方情報を選択した場合は、これと関連付けられている患者情報や薬剤情報等の医療情報が一括して選択され、これらの中央側医療情報が端末側医療情報に置き換えられることになる。
したがって、端末側管理装置は、関連する中央側医療情報を一括して、取得することができるので、精度の高い医療情報と置き換えることができる。
【発明の効果】
【００１３】
本発明は、主に病棟における患者の管理用コンピュータ等である端末側管理装置と、この端末側管理装置及び他の管理用コンピュータ等である端末側管理装置を統合した全体の管理装置との間の情報の統合を、円滑且つ迅速に行うことができるという利点がある。
【図面の簡単な説明】
【００１４】
【図１】本発明である医療情報管理システムの実施の形態に係る血糖値データ管理システム示す概略図である。
【図２】図１のＨＩＳ中央管理装置の主な構成を示す概略ブロック図である。
【図３】図１のＨＩＳ中央管理装置データベース内に格納されているデータ例を示す概略図である。
【図４】図１の個別管理装置（Ａ）等の構成を示す概略ブロック図である。
【図５】図４の第１の記憶部の主な構成を示す概略ブロック図である。
【図６】図４の第２の記憶部の主な構成を示す概略ブロック図である。
【図７】図５の使用者情報のデータ例を示す図である。
【図８】図５の患者情報のデータ例を示す図である。
【図９】図５の処方情報のデータ例を示す図である。
【図１０】図５の薬剤情報のデータ例を示す図である。
【図１１】図５の共通ＳＳ情報のデータ例を示す図である。
【図１２】本実施の形態にかかる血糖値データ管理システムの主な動作例を示す概略フローチャートである。
【図１３】通信設定をする画面例を示す概略図である。
【図１４】手入力使用者の非表示化を示す画面例である。
【図１５】ＨＩＳ中央管理装置データベースから取得した「使用者情報の基本情報」を示す画面例の概略図である。
【図１６】ＨＩＳ中央管理装置データベースから取得した「使用者情報の基本情報」が編集不可状態となっていることを示す画面例の概略図である。
【図１７】通信設定をする画面例を示す他の概略図である。
【図１８】手動入力（過去に入力した）した患者情報が閲覧専用情報となっている状態を示す画面例の概略図である。
【図１９】ＨＩＳ中央管理装置データベースから取得された「患者情報の基本情報」を示す画面例の概略図である。
【図２０】ＨＩＳ中央管理装置データベースから取得した「患者情報の基本情報」が編集不可状態となっていることを示す画面例の概略図である。
【図２１】通信設定をする画面例を示す他の概略図である。
【図２２】関連ある情報が同時に自動選択された状態を示す概略図である。
【発明を実施するための形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明である医療情報管理システムの実施の形態に係る血糖値データ管理システム１示す概略図である。図１に示すように、血糖値データ管理システム１は、中央管理装置である例えば、ＨＩＳ中央管理装置１０を有している。このＨＩＳ中央管理装置１０のＨＩＳは、Ｈｏｓｐｉｔａｌ  Ｉｎｆｏｒｍａｔｉｏｎ  Ｓｙｓｔｅｍの略であり、病院内のコンピュータシステムを指す。また、ＨＩＳは、一般には、会計や検査の予約、カルテ管理、薬の処方、食事の管理等を行うが、本実施の形態のＨＩＳ中央管理装置１０は、主に血糖値データの管理を行う構成となっている。
【００１７】
また、このＨＩＳ中央管理装置１０には、図１に示すように端末側管理装置である例えば、複数の個別管理装置（Ａ）３０ａ、個別管理装置（Ｂ）３０ｂ、個別管理装置（Ｃ）３０ｃ等と有線又は無線で通信可能に接続されている。
これら個別管理装置（Ａ）３０ａ等は、例えば、病院内のナースステーション等に配置され、病棟に入院中の患者の血糖値データ等を管理する構成となっている。
【００１８】
図１のＨＩＳ中央管理装置１０、個別管理装置（Ａ）３０ａ等は、それぞれ、コンピュータを有している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００１９】
図２は、図１のＨＩＳ中央管理装置１０の主な構成を示す概略ブロック図である。図２に示すように、ＨＩＳ中央管理装置１０は、ＨＩＳ中央管理装置側制御部１１を有する共に、図１の個別管理装置（Ａ）３０ａ等と有線又は無線で通信するためのＨＩＳ中央管理装置側送受信装置１２や、データ等を表示するための表示部であるＨＩＳ中央管理装置側ディスプレイ１３を有し、これらは、ＨＩＳ中央管理装置側制御部１１と接続されている。
また、ＨＩＳ中央管理装置１０は、図２に示すようにＨＩＳ中央管理装置データベース１４を有し、これもＨＩＳ中央管理装置側制御部１１と接続されている。
【００２０】
ＨＩＳ中央管理装置データベース１４内には、ＨＩＳ中央管理装置１０が取得したデータが格納されている。すなわち、本実施の形態では、通常は、ＨＩＳ中央管理装置１０と個別管理装置（Ａ）３０ａ等とは通信可能に接続されておらず、それぞれが、独自にデータを取得する構成となっている。
したがって、図２のＨＩＳ中央管理装置１０は、図示しない入力装置から取得したデータをＨＩＳ中央管理装置データベース１４に登録する構成となっている。
【００２１】
図３は、図１のＨＩＳ中央管理装置データベース１４内に格納されているデータ例を示す概略図である。図３に示すように、ＨＩＳ中央管理装置データベース１４内には、看護師等の使用者情報、患者情報、処方情報、薬剤情報そして共通ＳＳ（スライディングスケール）情報等が記憶されている。
ここで、スライディングスケールとは、直近の血糖値の結果に応じて、インスリンの注射量を加減するための目安をいう。例えば、食事前の血糖値目標が「９０〜１４９ｍｇ／ｄｌ」のところ、実測の血糖値（ｍ／ｄｌ）が「１５０〜２００」のとき、スライディングスケールは「食事に対して必要とされるインスリン＋１単位」となる。
【００２２】
図４は、図１の個別管理装置（Ａ）３０ａ等の構成を示す概略ブロック図である。図４に示すように、個別管理装置（Ａ）３０ａ等は、個別管理装置側制御部３１を有している。
また、個別管理装置（Ａ）３０ａ等は、図１のＨＩＳ中央管理装置１０と有線又は無線で通信するための個別管理装置側送受信装置３２や、データ等を表示するための表示部である個別管理装置側ディスプレイ３３を有している。これら個別管理装置側送受信装置３２及び個別管理装置側ディスプレイ３３は、個別管理装置側制御部３１に接続されている。
また、図４に示すように、個別管理装置（Ａ）３０ａ等は、第１の記憶部４０及び第２の記憶部５０を有し、これらは個別管理装置側制御部３１と接続されている。
【００２３】
図５は、図４の第１の記憶部４０の主な構成を示す概略ブロック図であり、図６は、図４の第２の記憶部５０の主な構成を示す概略ブロック図である。
図４等の第１の記録部４０と第２の記憶部５０との区分は、実際に、データ等が、かかる区分で分けて配置されているとの意味ではなく、説明の便宜上、分けて説明したに過ぎない。
【００２４】
図５の第１の記憶部４０には、主にナースステーション等に配置されている個別管理装置（Ａ）３０ａ等が、ＨＩＳ中央管理装置１０とは別個独自に取得したデータが記憶された状態が示されている。
すなわち、図５に示すように、看護師等の使用者情報記憶部４１には、使用者情報４１ａが記憶されている。図７は、図５の使用者情報４１ａのデータ例を示す図である。
図７に示すように、使用者情報４１ａには、手動（個別管理装置（Ａ）３０ａ等で独自に取得）又はＨＩＳ（ＨＩＳ中央管理装置１０から取得）の別や、編集の可否、個別管理装置側ディスプレイ３３に表示するためのものか、若しくは、基本情報か否か等が示されると共に、入力された使用者情報が格納される。
【００２５】
また、図５には、患者情報記憶部４２が配置され、そこには、患者情報４２ａが記憶されている。図８は、図５の患者情報４２ａのデータ例を示す図である。
図８に示すように、患者情報４２ａは、使用者情報４１ａと同様に手動／ＨＩＳ、編集可否、表示用か否か、そして、基本情報か否か等が示されていると共に、当該データが閲覧情報か否か、そしてデータの有効終了日等が記されている。さらに、入力された患者情報が格納されている。
【００２６】
また、図５には、処方情報記憶部４３が配置され、そこには、処方情報４３ａが記憶されている。図９は、図５の処方情報４３ａのデータ例を示す図である。
図９に示すように、処方情報は患者情報４２ａと同様に、手動／ＨＩＳ、編集可否、表示用か否か、閲覧情報か否か、そして、データの有効終了日が示されていると共に、処方（測定・投与計画）情報、例えば、処方ＩＤ、処方計画等が入力され、記憶される。
【００２７】
また、図５には、薬剤情報記憶部４４が配置され、そこには、薬剤情報４４ａが記憶されている。図１０は、図５の薬剤情報４４ａのデータ例を示す図である。
図１０に示すように、薬剤情報は、処方情報４３ａと同様に、手動／ＨＩＳ、編集可否、表示用か否か、閲覧情報か否か、そして、データの有効終了日が示されていると共に、薬剤情報、例えば、具体的な薬剤名であるヤクザイＣ、ヤクザイＤ等が入力され、記憶される。
【００２８】
また、図５には、共通ＳＳ情報記憶部４５が配置され、そこには、共通ＳＳ情報４５ａが記憶されている。図１１は、図５の共通ＳＳ情報４５ａのデータ例を示す図である。
図１１に示すように、共通ＳＳ情報４５ａは、薬剤情報４４ａと同様に、手動／ＨＩＳ、編集可否、表示用か否か、閲覧情報か否か、そして、データの有効終了日が示されていると共に、共通ＳＳ情報４５ａ、例えば、共通ＳＳ情報Ｃや共通ＳＳ情報Ｄ等が入力され、記憶される。
【００２９】
図１２は、本実施の形態にかかる血糖値データ管理システム１の主な動作例を示す概略フローチャートである。
以下、図１２のフローチャートに沿って、血糖値データ管理システム１の動作等を説明しながら、図２乃至図１１の各構成等についても併せて説明する。
【００３０】
先ず、病院のナースステーションに配置されている図１に示す個別管理装置（Ａ）３０ａ等と、他の場所に配置されているＨＩＳ中央管理装置１０とは、多くの場合、通信可能に接続されておらず、個別管理装置（Ａ）３０ａ等とＨＩＳ中央管理装置１０は、それぞれ、独自に使用者情報、患者情報、処方情報、薬剤情報そして共通ＳＳ情報等を取得する。
これは、各個別管理装置（Ａ）３０ａ等とＨＩＳ中央管理装置１０を構成するコンピュータが異なるメーカー若しくはシステムを搭載している場合が多く、これらを常時接続とするには、システムの統合等が必要で、莫大なコストがかかるためである。
【００３１】
そして、個別管理装置（Ａ）３０ａとＨＩＳ中央管理装置１０が接続されていないときは、個別管理装置（Ａ）３０ａにおいては、各情報が、手動入力等によって直接、図５で示される使用者情報記憶部４１、患者情報記憶部４２、処方情報記憶部４３、薬剤情報記憶部４４及び共通ＳＳ情報記憶部４５に記憶される。
また、ＨＩＳ中央管理装置１０では、図２のＨＩＳ中央管理装置データベース１４に記憶される。
【００３２】
したがって、ＨＩＳ中央管理装置１０と個別管理装置（Ａ）３０ａとが接続されていない、通常状態では、個別管理装置（Ａ）３０ａやＨＩＳ中央管理装置１０内に各データが蓄積した状態となる。
その後、システム変更を行うことによって、個別管理装置（Ａ）３０ａとＨＩＳ中央管理装置１０との通信可能な状態となると、相互間の情報通信が実行される。具体的には、図１２のフローチャートに沿って説明する。
【００３３】
先ず、図１の個別管理装置（Ａ）３０ａの操作者等が、通信可能な状態にあるＨＩＳ中央管理装置１０からデータを取得したい場合は、個別管理装置（Ａ）３０ａを動作させ、個別管理装置側ディスプレイ３３に図１３の画面例を表示させる。
図１３は、通信設定をする画面例を示す概略図である。
図１３に示すように、通信設定の画面例には、「外部システムとの通信設定」の項目の中に「外部システム取得情報」の項目があり、この項目には、「使用者情報」、「患者情報」「薬剤情報」「測定・投与計画情報（処方情報）」、「共通ＳＳ情報」等が含まれている。
これらの情報は、図３のＨＩＳ中央管理装置１０のＨＩＳ中央管理装置データベース１４に登録されている。そこで、個別管理装置（Ａ）３０ａとＨＩＳ中央管理装置１０の情報を統合させるため、個別管理装置（Ａ）３０ａは、ＨＩＳ中央管理装置１０から、必要な情報を取得することとなる。
【００３４】
具体的には、操作者等は、ＨＩＳ中央管理装置データベース１４から取得したい情報を図１３の通信設定の画面で選択する。
すなわち、「使用者情報」、「患者情報」「薬剤情報」「測定・投与計画情報（処方情報）」、「共通ＳＳ情報」等のいずれか、又は全てを選択する。具体的には、画面上で該当項目をクリックする。
ここで、例えば、「使用者情報」の項目をクリックした例について説明する。
【００３５】
先ず、図１２のＳＴ１で、使用者情報を外部取得するか否かが判断される。具体的には、図６の第２の記憶部５０のＨＩＳ使用者情報取得可否判断部（プログラム）５１が動作して、図１３の「使用者情報」をクリックしたか否かが判断される。
したがって、図１３の通信設定の画面例及び図６のＨＩＳ使用者情報可否判断部（プログラム）５１等が、取得情報選択部の一例となっている。また、図１３の画面例の「使用者情報」、「患者情報」「薬剤情報」「測定・投与計画情報（処方情報）」、「共通ＳＳ情報」等が中央側医療情報（医療情報）の一例となっている。
【００３６】
ＳＴ１で使用者情報を外部取得、すなわち、ＨＩＳ中央管理装置１０から取得すると判断された場合は、ＳＴ２へ進む。ＳＴ２では、既に手動入力済みの使用者情報を非表示用に変更する。
具体的には、図６の手動入力使用者情報変更部（プログラム）５２が動作して、図７の使用者情報４１ａのうち、手動で入力されている「使用者情報の基本情報」を選択し、当該使用者情報の基本情報の「表示」を「非表示」に変更する。
すると、個別管理装置側ディスプレイ３３の画面例は、図１４に示すようになる。図１４は、手入力使用者の非表示化を示す画面例である。
図１４に示すように、操作者等が過去に手動で入力した使用者情報４１ａは、画面に表示されない。
【００３７】
次いで、図示しないＨＩＳ中央管理装置データベース１４のデータ取得部（プログラム）が実行され、個別管理装置（Ａ）３０ａが、通信回線を介して、図２及び図３のＨＩＳ中央管理装置データベース１４に記憶されている「使用者情報の基本情報」の取得を開始する。
次いで、ＳＴ３へ進む。ＳＴ３では、ＨＩＳ使用者情報の基本情報を取得したか否かが判断される。
具体的には、図６のＨＩＳ使用者情報取得判断部（プログラム）５３が動作し、図３のＨＩＳ中央管理装置データベース１４から、個別管理装置（Ａ）３０ａが「使用者情報の基本情報」を取得したか否かを判断する。
【００３８】
ＳＴ３で、ＨＩＳ中央管理装置データベース１４から「使用者情報の基本情報」を取得したと判断したときは、ＳＴ４へ進む。ＳＴ４では、ＨＩＳ中央管理装置データベース１４から取得した「使用者情報の基本情報」を、図７の個別管理装置（Ａ）３０ａの使用者情報４１ａに、「ＨＩＳ」として記憶する。このとき、当該「使用者情報の基本情報」は、「表示」可とし、且つ「編集」不可として登録する。
したがって、ＨＩＳ中央管理装置データベース１４から取得された「使用者情報の基本情報」は、図１５に示すように表示され、図１６に示すように編集不可となる。
【００３９】
この工程は、具体的には、図６のＨＩＳ使用者情報登録部（プログラム）５４が動作して実行され、このＨＩＳ使用者情報登録部（プログラム）５４が、医療情報置換部の一例となっている。
図１５は、ＨＩＳ中央管理装置データベース１４から取得した「使用者情報の基本情報」を示す画面例の概略図である。図１６は、ＨＩＳ中央管理装置データベース１４から取得した「使用者情報の基本情報」が編集不可状態となっていることを示す画面例の概略図である。
【００４０】
このように、本実施の形態では、「使用者情報の基本情報」をＨＩＳ中央管理装置データベース１４から取得することを選択し、この選択によって取得された「使用者情報の基本情報」は、過去に個別管理装置（Ａ）３０ａによって独自に取得された「使用者情報の基本情報」と置き換えられる。
したがって、爾後、個別管理装置（Ａ）３０ａの操作者等は、「使用者情報の基本情報」がＨＩＳ中央管理装置データベース１４の情報に統合されるので、効率的な管理をすることができることになる。
また、置き換えられた「使用者情報の基本情報」は、図７及び図１６に示すように、「編集」不可となるため、爾後、操作者等によって、「使用者情報の基本情報」の内容が書き換えられることがないので、情報の信頼性を向上させることができる。
【００４１】
また、個別管理装置（Ａ）３０ａの操作者等は、ＨＩＳ中央管理装置データベース１４から取得する医療情報を選択でき、例えば、「使用者情報の基本情報」のみ取得し、他の「患者情報」等の異なる種類の情報は取得しないとすることもできる。
したがって、個別管理装置（Ａ）３０ａの医療情報のうち、ＨＩＳ中央管理装置データベース１４と置き換える必要がない情報は、そのまま操作者等が利用することができることになる。
このように、本実施の形態では、全ての医療情報を一括してＨＩＳ中央管理装置１０から取得して、一括して書き換えることの弊害の発生を未然に防止することができる。
このように、ＨＩＳ中央管理装置１０から医療情報を取得する際、各個別管理装置（Ａ）３０ａの事情に応じて必要な医療情報のみの書き換えを実行することができるので、極めて使い勝手の良いシステムとなっている。
【００４２】
次に、個別管理装置（Ａ）３０ａの操作者等が、ＨＩＳ中央管理装置データベース１４から「患者情報の基本情報」を取得する例について説明する。
先ず、操作者等は、個別管理装置（Ａ）３０ａの個別管理装置側ディスプレイ３３に図１７の画面例を表示させる。図１７は、図１３と同様に通信設定をする画面例を示す概略図である。そして、操作者等は、図１７の「患者情報」をクリックする。
【００４３】
すると、図１２のＳＴ１１に進む。ＳＴ１１では、患者情報を外部取得するか否かが判断される。具体的には、図６のＨＩＳ患者情報取得可否判断部（プログラム）５５が動作して、図１７の「患者情報」をクリックしたか否かを判断する。
【００４４】
ＳＴ１１で、患者情報を外部取得、すなわち、ＨＩＳ中央管理装置１０から取得すると判断した場合は、ＳＴ１２へ進む。ＳＴ１２では、既に手動入力済みの患者情報を閲覧専用情報に変更し、変更日と関連付ける。
具体的には、図６の手動入力患者情報変更部（プログラム）５６が動作し、図８の患者情報４２ａのうち、手動で入力した「患者情報の基本情報」を閲覧専用情報に変更し、その変更日を有効終了日として登録する。
これは画面例では、図１８のようになる。図１８は、手動入力（過去に入力）した「患者情報の基本情報」が閲覧専用情報となっている状態を示す画面例の概略図である。
図１８に示すように、個別管理装置（Ａ）３０ａで過去に入力した患者情報うちの基本情報は、閲覧専用となり、変更した日が、有効終了日となる。また、閲覧専用となった患者情報は、編集が不可とされるが、削除は可能となる。この変更された患者情報の基本情報が、閲覧可能情報の一例となっている。
【００４５】
次いで、図示しないＨＩＳ中央管理装置データベース１４のデータ取得部（プログラム）が実行され、個別管理装置（Ａ）３０ａが、通信回線等を介して、図２及び図３のＨＩＳ中央管理装置データベース１４に記憶されている「患者情報の基本情報」の取得を開始する。
【００４６】
次いで、ＳＴ１３へ進む。ＳＴ１３では、ＨＩＳ患者情報の基本情報を取得したか否かが判断される。具体的には、図６のＨＩＳ患者情報取得判断部（プログラム）５７が動作し、図３のＨＩＳ中央管理装置データベース１４から、個別管理装置（Ａ）３０ａが「患者情報の基本情報」を取得したか否かを判断する。
【００４７】
ＳＴ１３で、ＨＩＳ中央管理装置データベース１４から「患者情報の基本情報」を取得したと判断したときは、ＳＴ１４へ進む。ＳＴ１４では、ＨＩＳ中央管理装置データベース１４から取得した「患者情報の基本情報」を、図７の個別管理装置（Ａ）３０ａの患者情報４２ａに、「ＨＩＳ」として記憶する。このとき、当該「患者情報の基本情報」は、「表示」可とし、且つ「編集」不可として登録する。
したがって、ＨＩＳ中央管理装置データベース１４から取得された「患者情報の基本情報」は、図１９に示すように表示され、図２０に示すように編集不可となる。
この工程は、具体的には、図６のＨＩＳ患者情報登録部（プログラム）５８が動作して実行される。
【００４８】
図１９は、ＨＩＳ中央管理装置データベース１４から取得された「患者情報の基本情報」を示す画面例の概略図である。図２０は、ＨＩＳ中央管理装置データベース１４から取得した「患者情報の基本情報」が編集不可状態となっていることを示す画面例の概略図である。
【００４９】
このように、本実施の形態では、「患者情報の基本情報」をＨＩＳ中央管理装置データベース１４から取得することを選択し、この選択によって取得された「患者情報の基本情報」は、過去に個別管理装置（Ａ）３０ａによって独自に取得された「患者情報の基本情報」と置き換えられる。
ただし、過去に個別管理装置（Ａ）３０ａが独自に取得した「患者情報の基本情報」は、図８及び図１８に示すように、閲覧専用情報となるため、操作者等が爾後、必要に応じて参照することができるので、効率的に過去の「患者情報の基本情報」を利用することができる。
【００５０】
次に、個別管理装置（Ａ）３０ａの操作者等が、ＨＩＳ中央管理装置データベース１４から「処方情報（測定・投与計画情報）を取得する例について説明する。
先ず、操作者等は、個別管理装置（Ａ）３０ａ等の個別管理装置側ディスプレイ３３に図２１の画面例を表示させる。図２１は、図１３と同様に通信設定をする画面例を示す概略図である。そして、操作者等は、図２１の「測定・投与計画情報」（処方情報）をクリックする。
【００５１】
すると、図１２のＳＴ２１に進む。ＳＴ２１では、処方情報を外部取得するか否かが判断され、ＳＴ２１で、処方情報を外部取得すると判断された場合は、ＳＴ２２へ進む。ＳＴ２２では、患者情報、薬剤情報及び共通ＳＳ情報も外部取得に変更される。
すなわち、図２２の画面例に示すように、操作者等が「測定・投与計画情報」（処方情報）をクリックした場合は、これと関連付けてある他の「患者情報（の基本情報）」、「薬剤情報」及び「共通ＳＳ情報」もクリックしたものとして処理され、これらの情報も併せて外部取得する構成となっている。
図２２は、関連ある情報が同時に自動選択された状態を示す概略図である。
【００５２】
相互に関連のある医療情報、例えば、「測定・投与計画情報」（処方情報）、「患者情報の基本情報」、「薬剤情報」及び「共通ＳＳ情報」を、ＨＩＳ中央管理装置データベース１４から別個に個別の情報として取得した場合、データに矛盾等が生じ、データの精度が低下するおそれがある。
そこで、本実施の形態では、これら相互に密接に関連のある「測定・投与計画情報」（処方情報）等の医療情報は、相互に関連付けられ、これらのいずれか一つの医療情報を操作者等がクリックして選択したときは、これらが全て自動的に選択される構成となっている。
このＳＴ２１及びＳＴ２２の工程は、図６の患者情報、薬剤情報及び共通ＳＳ情報等外部取得変更部（プログラム）５９が動作して実行される。
【００５３】
次いで、ＳＴ２３に進む。ＳＴ２３では、既に手動入力済みの処方情報、患者情報の基本情報、薬剤情報及び共通ＳＳ情報を閲覧専用情報に変更し、変更日と関連付ける。
また、閲覧専用となった患者情報の基本情報等は、編集が不可とされが、削除は可能となる。
具体的には、図６の手動入力処方情報等変更部（プログラム）６０が動作し、図８の患者情報４２ａ、図９の処方情報４３ａ、図１０の薬剤情報４４ａ及び図１１の共通ＳＳ情報４５ａのうち、手動で入力した患者情報の基本情報や処方情報、薬剤情報、共通ＳＳ情報を閲覧専用情報に変更し、その変更日を有効終了日として登録する。
【００５４】
次いで、図示しないＨＩＳ中央管理装置データベース１４のデータ取得部（プログラム）が実行され、個別管理装置（Ａ）３０ａが、通信回線を介して、図２及び図３のＨＩＳ中央管理装置データベース１４に記憶されている「処方情報」、「患者情報の基本情報」、「薬剤情報」及び「共通ＳＳ情報」の取得を開始する。
【００５５】
次いで、ＳＴ２４へ進む。ＳＴ２４では、ＨＩＳ患者情報を取得したか否かが判断される。具体的には、図６のＨＩＳ処方情報、患者情報、薬剤情報及び共通ＳＳ情報取得可否判断部（プログラム）６１が動作し、個別管理装置（Ａ）３０ａが、図３のＨＩＳ中央管理装置データベース１４から、「処方情報」、「患者情報の基本情報」、「薬剤情報」及び「共通ＳＳ情報」を取得したか否かを判断する。
【００５６】
ＳＴ２４で、ＨＩＳ中央管理装置データベース１４から「処方情報」、「患者情報の基本情報」、「薬剤情報」及び「共通ＳＳ情報」を取得したと判断したときは、ＳＴ２５へ進む。ＳＴ２５では、ＨＩＳ中央管理装置データベース１４から取得した「処方情報」を、図９の個別管理装置（Ａ）３０ａの処方情報４３ａに「ＨＩＳ」として記憶する。このとき、処方情報４３ａは、「表示」可とし、且つ「編集」不可として登録される。
また、「患者情報の基本情報」、「薬剤情報」及び「共通ＳＳ情報」も同様に、「表示」可とし、且つ「編集」不可として登録される。具体的には、図８の患者情報４２ａ、図１０の薬剤情報４４ａ及び図１１の共通ＳＳ情報４５ａで示されるように登録される。
この工程は、図６の手動入力処方情報、患者情報、薬剤情報及び共通ＳＳ情報変更部（プログラム）６２が動作することで実行される。
【００５７】
このように、本実施の形態では、相互に関連のある医療情報である「処方情報」、「患者情報の基本情報」、「薬剤情報」及び「共通ＳＳ情報」が一括して、ＨＩＳ中央管理装置データベース１４から取得されるので、密接に関連のある医療情報を別々に置き換えることを防止でき、個別管理装置（Ａ）３０ａの医療情報の精度を向上させることができる。
【００５８】
本発明は、上述の各実施の形態に限定されない。
【符号の説明】
【００５９】
１・・・血糖値データ管理システム、１０・・・ＨＩＳ中央管理装置、１１・・・ＨＩＳ中央管理装置側制御部、１２・・・ＨＩＳ中央管理装置側送受信装置、１３・・・ＨＩＳ中央管理装置側ディスプレイ、１４・・・ＨＩＳ中央管理装置データベース、３０ａ・・・個別管理装置（Ａ）、３０ｂ・・・個別管理装置（Ｂ）、３０ｃ・・・個別管理装置（Ｃ）、３１・・・個別管理装置側制御部、３２・・・個別管理装置側送受信装置、３３・・・個別管理装置側ディスプレイ、４０・・・第１の記憶部、４１・・・使用者情報記憶部、４２・・・患者情報記憶部、４３・・・処方情報記憶部、４４・・・薬剤情報記憶部、４５・・・共通ＳＳ情報記憶部、５０・・・第２の記憶部、５１・・・ＨＩＳ使用者情報取得可否判断部（プログラム）、５２・・・手動入力使用者情報変更部（プログラム）、５３・・・ＨＩＳ使用者情報取得判断部（プログラム）、５４・・・ＨＩＳ使用者情報登録部（プログラム）、５５・・・ＨＩＳ患者情報取得可否判断部（プログラム）、５６・・・手動入力患者情報変更部（プログラム）、５７・・・ＨＩＳ患者情報取得判断部（プログラム）、５８・・・ＨＩＳ患者情報登録部（プログラム）、５９・・・患者情報、薬剤情報及び共通ＳＳ情報等外部取得変更部（プログラム）、６０・・・手動入力処方情報等変更部（プログラム）、６１・・・ＨＩＳ処方情報、患者情報、薬剤情報及び共通ＳＳ情報取得可否判断部（プログラム）、６２・・・手動入力処方情報、患者情報、薬剤情報及び共通ＳＳ情報変更部（プログラム）
【図１】
2011065606.tif 000003
【図２】
2011065606.tif 000004
【図３】
2011065606.tif 000005
【図４】
2011065606.tif 000006
【図５】
2011065606.tif 000007
【図６】
2011065606.tif 000008
【図７】
2011065606.tif 000009
【図８】
2011065606.tif 000010
【図９】
2011065606.tif 000011
【図１０】
2011065606.tif 000012
【図１１】
2011065606.tif 000013
【図１２】
2011065606.tif 000014
【図１３】
2011065606.tif 000015
【図１４】
2011065606.tif 000016
【図１５】
2011065606.tif 000017
【図１６】
2011065606.tif 000018
【図１７】
2011065606.tif 000019
【図１８】
2011065606.tif 000020
【図１９】
2011065606.tif 000021
【図２０】
2011065606.tif 000022
【図２１】
2011065606.tif 000023
【図２２】
2011065606.tif 000024